(57)【要約】【課題】スイッチの長板状作動片（アクチュエータ）が悪戯されないこと。【解決手段】トロヨケの内壁面に固定されたスイッチ本体と、このスイッチ本体を作動させることができるように設けられかつストライク板の嵌入孔側へと延びる長板状作動片とを有するスイッチとから成り、デッドボルトが嵌入孔に進入すると、長板状作動片が押圧されることにより該デッドボルトの施錠状態を確認し得る錠前用スイッチストライクに於いて、トロヨケの内部に位置するように該トロヨケの内壁又は前記ストライク板の折り曲げ壁部分のいずれかに単数又は複数個の突起型係止部分を設け、一方長板状作動片の接点部分を含む一側部分に切欠型被係止部分を単数又は複数個形成したことを特徴とする錠前用スイッチストライク。【選択図】図５
2011149148.tif 000002
【特許請求の範囲】
【請求項１】
戸枠の開口部に固定されるトロヨケと、このトロヨケの内壁面に固定されたスイッチ本体と、このスイッチ本体を作動させることができるようにスイッチ本体に設けられかつストライク板の嵌入孔側へと延びる長板状作動片とを有するスイッチとから成り、前記デッドボルトが前記嵌入孔に進入すると、前記長板状作動片が押圧されることにより該デッドボルトの施錠状態を確認し得る錠前用スイッチストライクに於いて、前記トロヨケの内部に位置するように該トロヨケの内壁又は前記ストライク板の折り曲げ壁部分のいずれかに単数又は複数個の係止部分を設け、一方、前記長板状作動片の接点部分を含む一側部分に前記係止部分用の切欠型被係止部分を単数又は複数個形成したことを特徴とする錠前用スイッチストライク。
【請求項２】
請求項１に於いて、切欠型被係止部分は、接点部分の一側を所定長切除することにより形成されていることを特徴とする錠前用スイッチストライク。
【請求項３】
請求項１に於いて、切欠型被係止部分は、接点部分に切込み１９を入れ、該切込みを入れた縁辺と接点部分の一側の間の縁部分２０を押し込んで形成されていることを特徴とする錠前用スイッチストライク。
【請求項４】
請求項１に於いて、長板状作動片の一部又は全部の横幅は、ストライク板６の嵌入孔ｄの幅と同一か或いは若干大き目に設定されていことを特徴とする錠前用スイッチストライク。
【発明の詳細な説明】
【技術分野】
【０００１】
本発明は、錠前用スイッチストライクに関する。
【背景技術】
【０００２】
特許文献１や特許文献２は、錠前用スイッチストライクに関するものである。
例えば特許文献１に記載されているスイッチの長板状作動片（アクチュエータ）は、ストライク板の嵌入孔を介して容易に悪戯される。そこで、現在、前記長板状作動片が悪戯され難い錠前用スイッチストライクの出現が要望されている。
【特許文献１】特開２００６−１１２０４２号公報
【特許文献２】特開２００７−３２２３８号公報
【発明の開示】
【発明が解決しようとする課題】
【０００３】
本発明の所期の目的は、悪戯により、長板状作動片をストライク板の嵌入孔側へ引きだそうとしても、容易に引き出せないようにすることである。第２の目的は、スイッチストライクに部材を加味したり、或いは著しく加工したりせず、簡単な構成を採用するにより、所期の目的を達成することである。
【課題を解決するための手段】
【０００４】
本発明の錠前用スイッチストライクは、戸枠の開口部に固定されるトロヨケと、このトロヨケの内壁面に固定されたスイッチ本体と、このスイッチ本体を作動させることができるようにスイッチ本体に設けられかつストライク板の嵌入孔側へと延びる長板状作動片とを有するスイッチとから成り、前記デッドボルトが前記嵌入孔に進入すると、前記長板状作動片が押圧されることにより該デッドボルトの施錠状態を確認し得る錠前用スイッチストライクに於いて、前記トロヨケの内部に位置するように該トロヨケの内壁又は前記ストライク板の折り曲げ壁部分のいずれかに単数又は複数個の係止部分を設け、一方、前記長板状作動片の接点部分を含む一側部分に前記係止部分用の切欠型被係止部分を単数又は複数個形成したことを特徴とする。
【発明の効果】
【０００５】
（ａ）例えば子どもが悪戯しようとして、長板状作動片をストライク板の嵌入孔側へ引きだそうとしても、該長板状作動片は、その切欠型被係止部分がトロヨケ内部に位置する突起型係止部分に係止され又は係止状態になっているので、容易に引き出せない。
（ｂ）スイッチストライクに部材を加味したり、或いは著しく加工したりせず、簡単な構成を採用するにより、所期の目的を達成することができる。
（ｃ）請求項４に記載の発明は、確実に所期の目的を達成することができる。
【発明を実施するための形態】
【０００６】
（１）環境部材と主たる部材
本発明の環境部材と主たる部材を簡単に説明する。まず、図３の符号Ｙは、扉、引戸等の開閉体用戸枠で、該戸枠Ｙには横向きの開口部ａが形成されている。この開口部ａに本発明の錠前用スイッチストライクＸが複数本の固着具ｂを介して固定的に取り付けられる。
【０００７】
次に、図１は主要部の分解斜視図で、トロヨケ１と、該トロヨケ１の内部に配設されるスイッチ１０と、トロヨケ１の前板に固定されるストライク板６がそれぞれ示されている。
【０００８】
次に、図２はトロヨケ１の中にスイッチ１０に内装し、かつ、ストライク板６をトロヨケ１の前板に合せた組み合わせ状態の斜視図である。前述した複数本の固着具ｂは、スイッチストライクＸの上下の取付け孔ｃ、ｃに対して共締めに用いられる（図３参照）。受け金具と称されるトロヨケ１とストライク板６から成る構成、ストライク板の縦長状嵌入孔ｄに対する挿・抜（施錠状態・解錠状態）するデッドボルトｅに関する構成・作用は、当業者にとって自明事項なので、詳細な説明は割愛する。
【０００９】
（２）主要部
本発明の錠前用スイッチストライクＸは、戸枠Ｙの開口部ａに固定されるボックス状のトロヨケ１と、このトロヨケ１の内壁面に固定されたスイッチ本体１１と、このスイッチ本体１１を作動させることができるように基端部が該スイッチ本体１１に設けられ、該基端部からストライク板６の嵌入孔ｄ側へと延びその接点部分がデッドボルトｅと対峙する長板状作動片１２とを有するスイッチ１０とから成り、前記デッドボルトｅが前記嵌入孔ｄに進入すると、前記接点部分が押圧されることにより該デッドボルトｅの施錠状態を確認し得る錠前のものである（前提要件）。
【００１０】
しかして、本発明の主要部は、トロヨケ１の内部２に位置するように該トロヨケ１の一側内壁３又はストライク板６の折り曲げ壁部分７のいずれかに単数又は複数個の突起型係止部分７ａを設け、一方、前記長板状作動片１２に、その接点部分の一側を含み該一側に連続する長手方向の縁部を所定長切除して切欠型被係止部分１２ａ、１２ｂを単数又は複数個形成し、悪戯により、長板状作動片１２をストライク板６の嵌入孔側ｄへ引きだそうとしても、長板状作動片１２は前記切欠型被係止部分１２ａ、１２ｂが前記突起型係止部分（本実施例では、垂直方向に長い折り曲げ壁部分７の内端）７ａに係止される。
【００１１】
（３）主要部の具体的構成
まず、トロヨケ１の各部財を説明する。前述したように符号２はボックス状のトロヨケ１の内部である。トロヨケ１は、普通一般のトロヨケと同様に不番の縦長状のボックス部と前板とを有する。図３を参照にすると、符号４はボックス部の底壁部で、この底壁部４は、向こう側に位置する一側内壁３に対して直交している。その他の細部的事項の説明は省略する。
【００１２】
次に、嵌入孔ｄを有するストライク板６を説明する。ストライク板６は、前記嵌入孔ｄを形成する縦方向の一辺にトロヨケ１の底壁部４に向って折り曲げ形成された折り曲げ壁部分７を有している。この折り曲げ壁部分７は、前述した底壁部４と直交する一側内壁３と重合状態となっている。この折り曲げ壁部分７は、受け金具としては新規事項ではなく、図示しないラッチやラッチボルトとの係脱を考慮して形成されたものである。
【００１３】
本実施例では、トロヨケ１の一側内壁３の表面に小突起状に設けた突起部分、又はストライク板６の折り曲げ壁部分７の表面に小突起状に設けた突起部分、或いは垂直方向に長い折り曲げ壁部分７の縦長状内端７ａが、「突起型係止部分」と成る。
したがって、突起型係止部分７ａは、実施例のように上下方向の1つの縁部（単数）又は前記一側内壁３の表面や折り曲げ壁部分７の表面に突出形成された単数・複数の小突起状、小片状等の突起型係止部分７ａであっても良い。
【００１４】
次に、スイッチ１０について説明する。スイッチ１０は、例えばボックス状のトロヨ１ケの底壁部４の内壁面４ａに固定される板状のスイッチ本体１１と、このスイッチ本体１１から上下方向に延在するバネ性の長板状作動片（アクチャエータ）１２とから成る。図７はスイッチ１０の正面図、図８は図７の８−８線断面図であるが、該スイッチ１０の長板状作動片１２は、前記スイッチ本体１１を作動させることができるように該スイッチ本体１１に接続する根元部分の基端部１３と、この基端部から前記底壁部４に内壁面４ａから次第に離間してストライク板６の嵌入孔ｄ側へと延びる傾斜部分１４と、該傾斜部分に連続する垂直状の接点部分１５と、この接点部分に底壁部４側に折り曲げ形成されて連続する折り曲げ部分１６と、該折り曲げ部分に上下方向に折り曲げ形成されて連続する自由端部１７とから成る。
【００１５】
しかして、前述したように、前記長板状作動片１２に、その接点部分１５の一側を含み該一側に連続する長手方向の縁部を所定長切除して複数個の切欠型被係止部分１２ａ、１２ｂとしている。付言すると、本実施例では、先端部に相当する自由端部の一辺の縁部１２ａと、この縁部１２ａから離間する傾斜部分１４の一辺の切欠縁部１２ａの二箇所が、トロヨケ１の内部側の突起型係止部分７ａに係止される部位となっている。
【００１６】
上記構成にあっては、悪戯により、長板状作動片１２をストライク板６の嵌入孔側ｄへ引きだそうとしても、長板状作動片１２は前記切欠型被係止部分１２ａ、１２ｂが前記突起型係止部分（折り曲げ壁部分７の内端）７ａに係止される。
【実施例】
【００１７】
発明の実施の形態で示した実施例に於いて、トロヨケ１の内部２に位置するように該トロヨケ１の一側内壁３又はストライク板６の折り曲げ壁部分７の突起型係止部分７ａ、及びこの突起型係止部分７ａに係止される長板状作動片１２の切欠型被係止部分１２ａ、１２ｂは、本発明の目的を逸脱しない範囲に於いて、任意に設計変更可能である。また、望ましくは長板状作動片１２の一部又は全部の横幅は、ストライク板６の嵌入孔ｄの幅と同一か或いは若干大き目に設定されている。
【００１８】
また、図９及び図１０は、上記切欠型被係止部分１２ａ、１２ｂの設計変更である（第２実施例）。第１実施例では、接点部分を含む一側部分を切欠して前記係止部分用の切欠型被係止部分を複数個（２固）形成しているが、該第２実施例の切欠型被係止部分は、「スリット形成かつ押し込み型」である。
【００１９】
すなわち、切欠型被係止部分は、接点部分の一側付近に切込み１９を入れ、該切込みを入れた縁辺と接点部分の一側の間の縁部分２０を奥側に押し込んで谷折状にすることにより形成されている。このように構成すると、長板状作動片１２の強度を保持しつつ本発明の所期の目的を達成することができる。
【産業上の利用可能性】
【００２０】
本発明は、主に建具や錠前の業界で利用される。
【図面の簡単な説明】
【００２１】
図１乃至図８は本発明の最良の実施例（第１実施例）を示す各説明図。
【図１】主要部の分解斜視図。
【図２】組み合わせ状態の斜視図。
【図３】戸枠に取付けた状態での概略断面説明図。
【図４】正面視からの説明図。
【図５】要部（二箇所で係止される一例）の説明図。
【図６】要部を別の角度から見た概念図。
【図７】要部（スイッチ）の説明図。
【図８】図７の８−８線断面図。
【図９】第２実施例の要部の正面視からの説明図。
【図１０】第２実施例の要部の斜視図。
【符号の説明】
【００２２】
Ｘ…錠前用スイッチストライク、Ｙ…戸枠、ｄ…嵌入孔、ｅ…デッドボルト、1…トロヨケ、２…内部、３…トロヨケ１の一側内壁、４…底壁部、６…ストライク板、７…折り曲げ壁部分、７ａ…突起型係止部分、１０…スイッチ、１１…スイッチ本体、１２…長板状作動片、１２ａ、１２ｂ…切欠型被係止部分、１３…基端部、１４…傾斜部分、１５…接点部分、１６…折り曲げ部分、１７…自由端部、１９…切込み、２０…縁部分。
【図１】
2011149148.tif 000003
【図２】
2011149148.tif 000004
【図３】
2011149148.tif 000005
【図４】
2011149148.tif 000006
【図５】
2011149148.tif 000007
【図６】
2011149148.tif 000008
【図７】
2011149148.tif 000009
【図８】
2011149148.tif 000010
【図９】
2011149148.tif 000011
【図１０】
2011149148.tif 000012